【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
調整命令を移動端末に送信することで、当該移動端末の信号送信条件を調整する基地局装置であって、
受信した前記移動端末からの送信信号の内、ユーザデータを含む送信信号であるユーザデータ信号の信号特性値を検出する検出部と、
検出した前記信号特性値が所定の目標範囲内であるか否かの判定を行う判定部と、
前記判定部によって前記信号特性値が前記目標範囲外であると判定されると、前記信号特性値に基づいて前記調整命令を生成する調整命令生成部と、
前記調整命令生成部が生成した前記調整命令を前記移動端末に送信する通信制御部と、
前記判定部によって、前記信号特性値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更部と、を有し、
前記通信制御部は、他の領域に変更された前記ユーザデータ領域の割り当て情報を前記移動端末に送信することを特徴とする基地局装置。
【請求項２】
調整命令を送信する基地局装置と、
前記調整命令を受信することで信号送信条件を調整する移動端末と、を備えた無線通信システムにおける信号送信条件の調整方法であって、
前記基地局が受信した前記移動端末の送信信号の内、ユーザデータを含む送信信号であるユーザデータ信号の信号特性値を検出する検出ステップと、
検出した前記信号特性値が所定の目標範囲内であるか否かの判定を行う判定ステップと、
前記判定ステップによって前記信号特性値が前記目標範囲外であると判定されると、前記信号特性値に基づいて前記調整命令を生成する調整命令生成ステップと、
前記調整命令生成ステップにて生成した前記調整命令を前記移動端末に送信する送信ステップと、を有し、
前記判定ステップによって、前記信号特性値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更ステップと、
前記他の領域に変更された前記ユーザデータ領域の割り当て情報を前記移動端末に送信するステップと、をさらに備えていることを特徴とする信号送信条件の調整方法。
【請求項３】
調整命令を移動端末に送信することで、当該移動端末の信号送信条件を調整する基地局装置であって、
受信した前記移動端末からの送信信号の内、ユーザデータを含む送信信号であるユーザデータ信号の信号タイミング誤差値を検出する検出部と、
検出した前記信号タイミング誤差値が所定の目標範囲内であるか否かの判定を行う判定部と、
前記判定部によって前記信号タイミング誤差値が前記目標範囲外であると判定されると、前記信号タイミング誤差値に基づいて前記調整命令を生成する調整命令生成部と、
前記調整命令生成部が生成した前記調整命令を前記移動端末に送信する通信制御部と、を有し、
前記判定部によって、前記信号タイミング誤差値が前記目標範囲外であると判定されると、前記送信信号を送信するための送信領域において前記ユーザデータ信号を送信するために割り当てられているユーザデータ領域を、前記送信領域中の他の領域に変更する領域変更部をさらに有し、
前記通信制御部は、他の領域に変更された前記ユーザデータ領域の割り当て情報を前記移動端末に送信するものであり、
前記検出部、前記判定部、前記調整命令生成部、及び前記通信制御部による処理を繰り返し実行させて、前記信号タイミング誤差値が前記目標範囲内と判定されるまで、前記移動端末に信号送信条件を繰り返し調整させる繰り返し制御部をさらに有し、
前記領域変更部は、前記繰り返し制御部により前記各部による処理が繰り返し実行されたとき、前記判定部によって、前記信号タイミング誤差値が前記目標範囲外であると所定回数連続して繰り返し判定されると、前記ユーザデータ領域を、前記送信領域中の他の領域に変更することを特徴とする基地局装置。
【請求項４】
調整命令を送信する基地局装置と、
前記調整命令を受信することで信号送信条件を調整する移動端末と、を備えた無線通信システムにおける信号送信条件の調整方法であって、
前記基地局が受信した前記移動端末の送信信号の内、ユーザデータを含む送信信号であるユーザデータ信号の信号タイミング誤差値を検出する検出ステップと、
検出した前記信号タイミング誤差値が所定の目標範囲内であるか否かの判定を行う判定ステップと、
前記判定ステップによって前記信号タイミング誤差値が前記目標範囲外であると判定されると、前記信号タイミング誤差値に基づいて前記調整命令を生成する調整命令生成ステップと、
前記調整命令生成ステップにて生成した前記調整命令を前記移動端末に送信する送信ステップと、
前記検出ステップ、前記判定ステップ、前記調整命令生成ステップ、及び前記送信ステップによる処理を繰り返し実行して、前記信号タイミング誤差値が前記目標範囲内と判定されるまで、前記移動端末に信号送信条件を繰り返し調整させる繰り返しステップと、を有し、
前記繰り返しステップにより前記各ステップによる処理が繰り返し実行されたとき、前記判定ステップによって、前記信号タイミング誤差値が前記目標範囲外であると所定回数連続して繰り返し判定されると、前記送信信号を送信するための送信領域において前記ユーザデータ信号を送信するために割り当てられているユーザデータ領域を、前記送信領域中の他の領域に変更する領域変更ステップと、
前記他の領域に変更された前記ユーザデータ領域の割り当て情報を前記移動端末に送信するステップと、をさらに有していることを特徴とする信号送信条件の調整方法。
【請求項５】
調整命令を移動端末に送信することで、当該移動端末の信号送信条件を調整する基地局装置であって、
受信した前記移動端末からの送信信号の内、ユーザデータを含む送信信号であるユーザデータ信号の信号タイミング誤差値を検出する検出部と、
検出した前記信号タイミング誤差値が所定の目標範囲内であるか否かの判定を行う判定部と、
前記判定部によって前記信号タイミング誤差値が前記目標範囲外であると判定されると、前記信号タイミング誤差値に基づいて前記調整命令を生成する調整命令生成部と、
前記調整命令生成部が生成した前記調整命令を前記移動端末に送信する通信制御部と、を有し、
前記判定部によって、前記信号タイミング誤差値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更部をさらに有し、
前記通信制御部は、他の領域に変更された前記ユーザデータ領域の割り当て情報を前記移動端末に送信することを特徴とする基地局装置。
【請求項６】
調整命令を送信する基地局装置と、
前記調整命令を受信することで信号送信条件を調整する移動端末と、を備えた無線通信システムにおける信号送信条件の調整方法であって、
前記基地局が受信した前記移動端末の送信信号の内、ユーザデータを含む送信信号であるユーザデータ信号の信号タイミング誤差値を検出する検出ステップと、
検出した前記信号タイミング誤差値が所定の目標範囲内であるか否かの判定を行う判定ステップと、
前記判定ステップによって前記信号タイミング誤差値が前記目標範囲外であると判定されると、前記信号タイミング誤差値に基づいて前記調整命令を生成する調整命令生成ステップと、
前記調整命令生成ステップにて生成した前記調整命令を前記移動端末に送信する送信ステップと、を有し、
前記判定ステップによって、前記信号タイミング誤差値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更ステップと、
前記他の領域に変更された前記ユーザデータ領域の割り当て情報を前記移動端末に送信するステップと、をさらに備えていることを特徴とする信号送信条件の調整方法。
【手続補正２】
【補正対象書類名】明細書
【補正対象項目名】発明の名称
【補正方法】変更
【補正の内容】
【発明の名称】基地局装置及び信号送信条件の調整方法
【手続補正３】
【補正対象書類名】明細書
【補正対象項目名】０００９
【補正方法】変更
【補正の内容】
【０００９】
上記目的を達成するための本発明は、調整命令を移動端末に送信することで、当該移動端末の信号送信条件を調整する基地局装置であって、受信した前記移動端末からの送信信号の内、ユーザデータを含む送信信号であるユーザデータ信号の信号特性値を検出する検出部と、検出した前記信号特性値が所定の目標範囲内であるか否かの判定を行う判定部と、前記判定部によって前記信号特性値が前記目標範囲外であると判定されると、前記信号特性値に基づいて前記調整命令を生成する調整命令生成部と、前記調整命令生成部が生成した前記調整命令を前記移動端末に送信する通信制御部と、前記判定部によって、前記信号特性値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更部と、を有し、前記通信制御部は、他の領域に変更された前記ユーザデータ領域の割り当て情報を前記移動端末に送信することを特徴としている。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
また、上記基地局装置によれば、信号特性値が目標範囲内に調整できないときは、領域変更部が、ユーザデータ領域を送信領域中の他の領域に変更することで、検出部の検出対象であるユーザデータ信号の使用周波数を変更することができる。これによって、移動端末の位置する環境や状況に起因して、特定の信号周波数又は特定の信号タイミングで目標範囲内に調整できない場合や、周波数選択性フェージングが生じる状況下にある場合であっても、ユーザデータ信号の使用周波数を変更することで、信号周波数及び信号タイミングを調整可能にすることができる。
また、他の観点からみた本発明は、調整命令を送信する基地局装置と、前記調整命令を受信することで信号送信条件を調整する移動端末と、を備えた無線通信システムにおける信号送信条件の調整方法であって、前記基地局が受信した前記移動端末の送信信号の内、ユーザデータを含む送信信号であるユーザデータ信号の信号特性値を検出する検出ステップと、検出した前記信号特性値が所定の目標範囲内であるか否かの判定を行う判定ステップと、前記判定ステップによって前記信号特性値が前記目標範囲外であると判定されると、前記信号特性値に基づいて前記調整命令を生成する調整命令生成ステップと、前記調整命令生成ステップにて生成した前記調整命令を前記移動端末に送信する送信ステップと、を有し、前記判定ステップによって、前記信号特性値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更ステップと、前記他の領域に変更された前記ユーザデータ領域の割り当て情報を前記移動端末に送信するステップと、をさらに備えていることを特徴としている。
【手続補正６】
【補正対象書類名】明細書
【補正対象項目名】００１３
【補正方法】変更
【補正の内容】
【００１３】
また、本発明は、調整命令を移動端末に送信することで、当該移動端末の信号送信条件を調整する基地局装置であって、受信した前記移動端末からの送信信号の内、ユーザデータを含む送信信号であるユーザデータ信号の信号タイミング誤差値を検出する検出部と、検出した前記信号タイミング誤差値が所定の目標範囲内であるか否かの判定を行う判定部と、前記判定部によって前記信号タイミング誤差値が前記目標範囲外であると判定されると、前記信号タイミング誤差値に基づいて前記調整命令を生成する調整命令生成部と、前記調整命令生成部が生成した前記調整命令を前記移動端末に送信する通信制御部と、を有し、前記判定部によって、前記信号タイミング誤差値が前記目標範囲外であると判定されると、前記送信信号を送信するための送信領域において前記ユーザデータ信号を送信するために割り当てられているユーザデータ領域を、前記送信領域中の他の領域に変更する領域変更部をさらに有し、前記通信制御部は、他の領域に変更された前記ユーザデータ領域の割り当て情報を前記移動端末に送信するものであり、前記検出部、前記判定部、前記調整命令生成部、及び前記通信制御部による処理を繰り返し実行させて、前記信号タイミング誤差値が前記目標範囲内と判定されるまで、前記移動端末に信号送信条件を繰り返し調整させる繰り返し制御部をさらに有し、前記領域変更部は、前記繰り返し制御部により前記各部による処理が繰り返し実行されたとき、前記判定部によって、前記信号タイミング誤差値が前記目標範囲外であると所定回数連続して繰り返し判定されると、前記ユーザデータ領域を、前記送信領域中の他の領域に変更することを特徴としている。
【手続補正７】
【補正対象書類名】明細書
【補正対象項目名】００１４
【補正方法】変更
【補正の内容】
【００１４】
上記構成では、領域変更部は、移動端末の信号送信条件が繰り返して調整されかつ、信号タイミング誤差値が目標範囲外であると所定回数連続して繰り返し判定される場合に、ユーザデータ領域を他の領域に変更するので、移動端末の現在位置する環境や状況が、信号タイミング誤差値が目標範囲内に調整できない場合や、周波数選択性フェージングが生じる状況下にある場合であるか否かの判断を、連続して繰り返し判定された回数に基づいて行うことができる。これによって、ユーザデータ領域を他の領域に変更させるか否かの判断をより正確に行うことができる。
【手続補正８】
【補正対象書類名】明細書
【補正対象項目名】００１５
【補正方法】変更
【補正の内容】
【００１５】
また、本発明は、調整命令を送信する基地局装置と、前記調整命令を受信することで信号送信条件を調整する移動端末と、を備えた無線通信システムにおける信号送信条件の調整方法であって、前記基地局が受信した前記移動端末の送信信号の内、ユーザデータを含む送信信号であるユーザデータ信号の信号タイミング誤差値を検出する検出ステップと、検出した前記信号タイミング誤差値が所定の目標範囲内であるか否かの判定を行う判定ステップと、前記判定ステップによって前記信号タイミング誤差値が前記目標範囲外であると判定されると、前記信号タイミング誤差値に基づいて前記調整命令を生成する調整命令生成ステップと、前記調整命令生成ステップにて生成した前記調整命令を前記移動端末に送信する送信ステップと、前記検出ステップ、前記判定ステップ、前記調整命令生成ステップ、及び前記送信ステップによる処理を繰り返し実行して、前記信号タイミング誤差値が前記目標範囲内と判定されるまで、前記移動端末に信号送信条件を繰り返し調整させる繰り返しステップと、を有し、前記繰り返しステップにより前記各ステップによる処理が繰り返し実行されたとき、前記判定ステップによって、前記信号タイミング誤差値が前記目標範囲外であると所定回数連続して繰り返し判定されると、前記送信信号を送信するための送信領域において前記ユーザデータ信号を送信するために割り当てられているユーザデータ領域を、前記送信領域中の他の領域に変更する領域変更ステップと、前記他の領域に変更された前記ユーザデータ領域の割り当て情報を前記移動端末に送信するステップと、をさらに有していることを特徴としている。
【手続補正９】
【補正対象書類名】明細書
【補正対象項目名】００１６
【補正方法】変更
【補正の内容】
【００１６】
上記のように構成された信号送信条件の調整方法によれば、移動端末の信号送信条件の調整精度を高めることができる。
また、本発明は、調整命令を移動端末に送信することで、当該移動端末の信号送信条件を調整する基地局装置であって、受信した前記移動端末からの送信信号の内、ユーザデータを含む送信信号であるユーザデータ信号の信号タイミング誤差値を検出する検出部と、検出した前記信号タイミング誤差値が所定の目標範囲内であるか否かの判定を行う判定部と、前記判定部によって前記信号タイミング誤差値が前記目標範囲外であると判定されると、前記信号タイミング誤差値に基づいて前記調整命令を生成する調整命令生成部と、前記調整命令生成部が生成した前記調整命令を前記移動端末に送信する通信制御部と、を有し、前記判定部によって、前記信号タイミング誤差値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更部をさらに有し、前記通信制御部は、他の領域に変更された前記ユーザデータ領域の割り当て情報を前記移動端末に送信することを特徴としている。
また、本発明は、調整命令を送信する基地局装置と、前記調整命令を受信することで信号送信条件を調整する移動端末と、を備えた無線通信システムにおける信号送信条件の調整方法であって、前記基地局が受信した前記移動端末の送信信号の内、ユーザデータを含む送信信号であるユーザデータ信号の信号タイミング誤差値を検出する検出ステップと、検出した前記信号タイミング誤差値が所定の目標範囲内であるか否かの判定を行う判定ステップと、前記判定ステップによって前記信号タイミング誤差値が前記目標範囲外であると判定されると、前記信号タイミング誤差値に基づいて前記調整命令を生成する調整命令生成ステップと、前記調整命令生成ステップにて生成した前記調整命令を前記移動端末に送信する送信ステップと、を有し、前記判定ステップによって、前記信号タイミング誤差値が前記目標範囲外であると判定されると、前記送信信号を送信するための送信領域において前記ユーザデータ信号を送信するために割り当てられているユーザデータ領域を、前記送信領域中の現在の割当領域と重複しない他の領域に変更する領域変更ステップと、前記他の領域に変更された前記ユーザデータ領域の割り当て情報を前記移動端末に送信するステップと、をさらに備えていることを特徴としている。
【手続補正１０】
【補正対象書類名】明細書
【補正対象項目名】００１７
【補正方法】変更
【補正の内容】
【００１７】
以上のように、本発明の基地局装置、及び信号送信条件の調整方法によれば、移動端末の信号送信条件の調整精度をより高めることができる。